(57)【要約】【課題】本発明は、照明装置からのノイズを遮断しつつ、意匠性を低下させることなく、リモコンからの光線の受光部を設け、しかもリモコンの使用可能角度を十分に確保することを目的とするものである。【解決手段】フレーム９の下辺の中央部には、光遮蔽部９ａが設けられている。光遮蔽部９ａは、拡散板１０と基板８との間で赤外線受光素子１２の前方に位置している。また、光遮蔽部９ａは、赤外線受光素子１２の前方に断面逆Ｕ字形（アーチ形）の溝を形成している。光遮蔽部９ａの溝は、上側及び左右両側を覆いつつ下方及び赤外線受光素子１２の前方へは開放されている。光遮蔽部９ａの溝の上面９ｂの拡散板１０に直角で上下方向に平行な断面形状は、湾曲した凹状、即ち凹面鏡状である。【選択図】図２
2013189287.tif 000002
【特許請求の範囲】
【請求項１】
基板、
前記基板に設けられ、情報を発光表示する表示部、
前記基板に設けられ、リモコンからの光線を受光する受光部、
前記表示部及び前記受光部に対向して前記基板の前方に配置され、前記表示部からの光及び前記リモコンからの光線を透過する透過板、及び
前記透過板と前記基板との間で前記受光部の前方に設けられ、上側及び左右両側を覆いつつ下方及び前記受光部の前方へは開放された断面逆Ｕ字形の溝を形成する光遮蔽部
を備えていることを特徴とするエレベータのインジケータ装置。
【請求項２】
前記透過板に直角で上下方向に平行な前記溝の上面の断面形状が、湾曲した凹状であることを特徴とする請求項１記載のエレベータのインジケータ装置。
【請求項３】
前記透過板の周囲を囲むように配置されたフレームをさらに備え、
前記光遮蔽部は、前記フレームの下辺の一部に設けられていることを特徴とする請求項１又は請求項２に記載のエレベータのインジケータ装置。
【発明の詳細な説明】
【技術分野】
【０００１】
この発明は、かご室内等に設置され、情報を発光表示する表示部と、リモコンからの光線を受光する受光部とが設けられているエレベータのインジケータ装置に関するものである。
【背景技術】
【０００２】
従来のエレベータの遠隔操作装置では、リモコンからの信号を受信する受信部が、乗場ボタン装置に設けられている。また、リモコンを操作して受信部に信号を送ることにより、サービス階に関する運転モードが切り替えられる（例えば、特許文献１参照）。
【０００３】
一方、従来のエレベータのかご操作盤には、保守時に各種操作を行うための複数のスイッチが設けられている。これらのスイッチは、一般の乗客が誤って操作しないように、通常、カバーで隠蔽されている。
【０００４】
これに対して、保守時の各種操作にリモコンを用いることにより、保守作業用のスイッチをかご操作盤から無くすことができる。また、この場合、リモコンからの光線の受光部をインジケータ装置に設けることにより、既設の基板を利用することができ、また、一般の乗客に対して受光部を隠蔽することができ、さらに、リモコンによる操作状態を表示することもできる。
【０００５】
しかし、インジケータ装置は、視認性の点からかご室内の比較的高い位置に設置されているため、低い位置でリモコンを操作すると受光不良となり易く、操作範囲が制限される。また、かご室の天井部に設けられた照明装置からの赤外線ノイズの影響を受ける恐れもある。
【０００６】
従来、蛍光灯からの赤外線ノイズを遮断する方法として、下部に設けられた入射開口部以外からの赤外線の進入を遮蔽するカバーを、リモコン受光部に隣接して配置する方法が提案されている（例えば、特許文献２参照）。
【先行技術文献】
【特許文献】
【０００７】
【特許文献１】特開平５−３３０７４８号公報
【特許文献２】特開２０１０−２５９０２９号公報
【発明の概要】
【発明が解決しようとする課題】
【０００８】
しかし、上記のような従来の赤外線ノイズの遮断方法は、天井に設置されたプロジェクタをリモコン操作するために、ほぼ真下からの赤外線のみを受光することを目的としている。このため、インジケータ装置に設けられた受光部にこれを適用すると、正面からの赤外線が遮断されてしまい、リモコンの使用可能角度が狭くなってしまう。また、インジケータ装置からカバーが突出し、外観を損なう。
【０００９】
この発明は、上記のような課題を解決するためになされたものであり、照明装置からのノイズを遮断しつつ、意匠性を低下させることなく、リモコンからの光線の受光部を設けることができ、しかもリモコンの使用可能角度を十分に確保することができるエレベータのインジケータ装置を得ることを目的とする。
【課題を解決するための手段】
【００１０】
この発明に係るエレベータのインジケータ装置は、基板、基板に設けられ、情報を発光表示する表示部、基板に設けられ、リモコンからの光線を受光する受光部、表示部及び受光部に対向して基板の前方に配置され、表示部からの光及びリモコンからの光線を透過する透過板、及び透過板と基板との間で受光部の前方に設けられ、上側及び左右両側を覆いつつ下方及び受光部の前方へは開放された断面逆Ｕ字形の溝を形成する光遮蔽部を備えている。
【発明の効果】
【００１１】
この発明のエレベータのインジケータ装置は、光遮蔽部により、透過板と基板との間で受光部の前方に断面逆Ｕ字形の溝が形成されるので、照明装置からのノイズを遮断しつつ、意匠性を低下させることなく、リモコンからの光線の受光部を設けることができ、しかも、光遮蔽部は下方及び受光部の前方へは開放されているので、リモコンの使用可能角度を十分に確保することができる。
【図面の簡単な説明】
【００１２】
【図１】この発明の実施の形態１によるエレベータのかご室内からかご出入口側を見た正面図である。
【図２】図１のインジケータ装置を示す斜視図である。
【図３】図２のＩＩＩ−ＩＩＩ線に沿う断面図である。
【発明を実施するための形態】
【００１３】
以下、この発明を実施するための形態について、図面を参照して説明する。
実施の形態１．
図１はこの発明の実施の形態１によるエレベータのかご室内からかご出入口側を見た正面図、図２は図１のインジケータ装置を示す斜視図、図３は図２のＩＩＩ−ＩＩＩ線に沿う断面図である。
【００１４】
図において、かご室１の前面には、かご出入口１ａが設けられている。かご出入口１ａは、一対のかごドア２により開閉される。かご出入口１ａの横のかご室壁（袖壁）には、かご操作盤３が設置されている。
【００１５】
かご操作盤３には、複数の行先階指定ボタン４、戸開ボタン５、戸閉ボタン６、及びインジケータ装置７が設けられている。インジケータ装置７は、視認性を確保するため、かご操作盤３の上端部に配置されている。また、インジケータ装置７は、基板（インジケータ・ボタン制御基板）８、フレーム９、透過板としての拡散板（拡散フィルム）１０、ＬＥＤ表示部１１、及び受光部としての赤外線受光素子１２を有している。
【００１６】
ＬＥＤ表示部１１は、基板８に設けられている。また、ＬＥＤ表示部１１は、基板８上の回路でのデータ処理に基づいて、かご室１内の乗客に対して文字、矢印及びその他の記号等の情報（走行方向及び現在階等）を発光表示する。
【００１７】
赤外線受光素子１２は、ＬＥＤ表示部１１の下方でＬＥＤ表示部１１と共通の基板８に設けられている。また、赤外線受光素子１２は、リモコン１３からの赤外線１４を受光する。基板８には、赤外線受光素子１２からの信号の処理回路、ボタン４，５，６からの入力を処理しエレベータ制御装置（図示せず）等に送信する回路、及びエレベータ制御装置等からの信号を処理する回路も設けられている。
【００１８】
基板８上の回路は、リモコン１３から赤外線受光素子１２への赤外線の入力に応じて、各種設定を行う。各種設定としては、例えば、エレベータ装置の運転モード（通常運モード／保守運転モード等）の切換、エレベータ装置の運転／休止の切換、かご室１内の照明装置（図示せず）のＯＮ／ＯＦＦの切換、及び換気用ファンのＯＮ／ＯＦＦの切換等が挙げられる。
【００１９】
拡散板１０は、ＬＥＤ表示部１１及び赤外線受光素子１２に対向して基板８の前方に配置されている。また、拡散板１０は、基板８に平行に配置されている。さらに、拡散板１０は、ＬＥＤ表示部１１からの光を拡散して透過するとともに、リモコン１３からの赤外線を透過する。拡散板１０としては、例えばポリエステルフィルムが用いられている。
【００２０】
フレーム９は、拡散板１０の周囲を囲むように配置されている。拡散板１０は、正面形状が矩形であり、上下左右の４辺でフレーム９に固定されている。フレーム９は、赤外線を反射する材料により構成されている。また、フレーム９は、複数の固定部材（図示せず）を介して基板８に固定されている。フレーム９の材料としては、例えばＰＣ（ポリカーボネート樹脂）が用いられている。
【００２１】
フレーム９の下辺の中央部には、光遮蔽部９ａが設けられている。光遮蔽部９ａは、拡散板１０と基板８との間で赤外線受光素子１２の前方に位置している。また、光遮蔽部９ａは、赤外線受光素子１２の前方に断面逆Ｕ字形（アーチ形）の溝を形成している。光遮蔽部９ａの溝は、上側及び左右両側を覆いつつ下方及び赤外線受光素子１２の前方へは開放されている。
【００２２】
また、光遮蔽部９ａの溝の上面９ｂの拡散板１０に平行な断面形状は、半円状である。さらに、光遮蔽部９ａの溝の上面９ｂの拡散板１０に直角で上下方向に平行な断面形状は、図３に示すように、湾曲した凹状、即ち凹面鏡状である。
【００２３】
このような構成により、ＬＥＤ表示部１１が設けられた既設の基板８を利用して、インジケータ装置７に赤外線受光素子１２を設けることができる。また、基板８の前方には拡散板１０が配置されているため、赤外線受光素子１２を一般の乗客に対して隠蔽することができる。さらに、リモコン１３による操作状態を、ＬＥＤ表示部１１を利用して表示することもできる。
【００２４】
また、光遮蔽部９ａにより、拡散板１０と基板８との間で赤外線受光素子１２の前方に断面逆Ｕ字形の溝が形成されるので、かご室１内の照明装置からのノイズを遮断しつつ、意匠性を低下させることなく、赤外線受光素子１２を基板８に設けることができる。しかも、光遮蔽部９ａは、下方及び赤外線受光素子１２の前方へは開放されているので、リモコン１３の使用可能角度を十分に確保することができる。
【００２５】
例えば、インジケータ装置７はかご室１の床面から約２ｍの高さの位置に設置されているため、リモコン１３は、赤外線受光素子１２よりも低い位置で操作されることが多い。このため、例えば円筒状の遮蔽部を赤外線受光素子１２の前方に配置すると、下方からの赤外線が遮蔽部により反射又は遮断されてしまう。
【００２６】
これに対して、実施の形態１では、光遮蔽部９ａが下方及び赤外線受光素子１２の前方へ開放されているので、下方からの赤外線が赤外線受光素子１２に届くことになる。具体的には、下方向のリモコン１３の使用可能角度が、遮蔽部を円筒状とした場合は約４５°であるが、アーチ形とすることにより９０°に近くなる。
【００２７】
また、光遮蔽部９ａの溝の上面９ｂの拡散板１０に直角で上下方向に平行な断面形状を湾曲した凹状としたので、上面９ｂで反射した赤外線を赤外線受光素子１２に受光させることができ、下方向のリモコン１３の使用可能角度をさらに広げることができる。
【００２８】
なお、上記の例では、光遮蔽部９ａの溝の上面９ｂの拡散板１０に平行な断面形状を半円状としたが、矩形又は矩形に近い形状であってもよい。
また、リモコン１３が出力する光線は赤外線に限定されず、これに伴い受光部も赤外線受光素子１２に限定されない。
さらに、上記の例では、光遮蔽部９ａをフレーム９の一部として設けたが、フレーム９とは別に光遮蔽部９ａを独立して設けてもよい。
さらにまた、上記の例では、かご操作盤３に設けられるインジケータ装置７を示したが、この発明は、乗場に設けられているインジケータ装置にも適用できる。
また、表示部は、ＬＥＤ表示部１１に限定されるものではない。
さらに、透過板は、光を透過するものであればよく、拡散板１０に限定されない。
さらにまた、上記の例では、正面形状が矩形のインジケータ装置７を示したが、他の形状、例えば円形等であってもよい。
【符号の説明】
【００２９】
７  インジケータ装置、８  基板、９  フレーム、９ａ  光遮蔽部、９ｂ  上面、１０  拡散板（透過板）、１１  ＬＥＤ表示部（表示部）、１２  赤外線受光素子（受光部）、１３  リモコン。
【図１】
2013189287.tif 000003
【図２】
2013189287.tif 000004
【図３】
2013189287.tif 000005